(57)【要約】【課題】  電気接続部の保護しつつ小型化を図る。【解決手段】  装置本体１１の一主面部が載置される載置部６２と、載置部６２に設けられ、装置本体１１のジャック２４に接続されるプラグ６４と、載置部６２に載置する装置本体１１の一部を支持する支持溝６３とを備え、支持溝６３は、装置本体１１の挿入方向が開口された挿入口６５と、この挿入口６５と対向する位置に設けられ、装置本体１１の挿入端が突き当てられる突き当て部６６と、挿入口６５の相対向する位置に設けられ、装置本体１１の一部を支持する支持部６７ａ、６７ｂとを有し、装置本体１１は、挿入口６５から支持溝６３に挿入されて突き当て部６６に突き当てられ、一方の支持部６７ａ、６７ｂを支点として回動されて載置部６２に載置され、装置本体１１のジャック２４が載置部６２のプラグ６４に接続される。【選択図】  図６
2005135493.tif 000002
【特許請求の範囲】
【請求項１】
筐体の一主面部に電気接続部が形成された電子機器を保持する保持装置であって、
上記電気機器の一主面部が載置される載置部と、
上記載置部に設けられ、上記電気機器の電気接続部に接続される電気接続部と、
上記載置部に載置する電気機器の一部を支持する支持溝とを備え、
上記支持溝は、上記載置部側が開口された挿入口と、この挿入口と対向する位置に設けられ、上記電気機器の挿入端が突き当てられる突き当て部と、上記挿入口の互いに対向する位置に設けられ、上記電気機器の一部を支持する支持部とを有し、
上記電気機器は、上記挿入口から支持溝に挿入されて上記突き当て部に突き当てられ、上記一方の支持部を支点として回動されて上記載置部に載置され、上記電気機器の電気接続部が上記載置部の電気接続部に接続される保持装置。
【請求項２】
上記支持溝には、上記突き当て部に隣り合って、上記挿入口より挿入され上記突き当て部に突き当てられた電気機器を上記一方の支持部を支点に回動して上記載置部に載置する際、上記電気機器の挿入端を逃げる凹部が設けられている請求項１記載の保持装置。
【請求項３】
上記載置部の上記支持溝と反対側の位置には、上記支持溝に挿入された電気機器の上記挿入方向とは反対方向の位置規制を行う位置規制部が設けられている請求項１記載の保持装置。
【請求項４】
記録媒体の記録及び／又は再生をすると共に、電気接続部が設けられたドライブ部と、
上記ドライブ部の一主面部が載置され、載置されたドライブ部の電気接続部と接続される電気接続部が設けられた載置部と、外部と情報信号の送受信を行う端子部と、上記載置部に載置する電気機器の一部を支持する支持溝とを有する保持部とを備え、
上記支持溝は、上記載置部側が開口された挿入口と、この挿入口と対向する位置に設けられ、上記ドライブ部の挿入端が突き当てられる突き当て部と、上記挿入口の互いに対向する位置に設けられ、上記ドライブ部の一部を支持する支持部とを有し、
上記ドライブ部は、上記挿入口から支持溝に挿入されて上記突き当て部に突き当てられ、上記一方の支持部を支点として回動されて上記載置部に載置され、上記ドライブ部の電気接続部が上記載置部の電気接続部に接続される記録及び／又は再生装置。
【請求項５】
上記支持溝には、上記突き当て部に隣り合って、上記挿入口より挿入され上記突き当て部に突き当てられた電気機器を上記一方の支持部を支点に回動して上記載置部に載置する際、上記電気機器の挿入端を逃げる凹部が設けられている請求項４記載の記録及び／又は再生装置。
【請求項６】
上記載置部の上記支持溝と反対側の位置には、上記支持溝に挿入されたドライブ部の上記挿入方向とは反対方向の位置規制を行う位置規制部が設けられている請求項４記載の記録及び／又は再生装置。
【発明の詳細な説明】
【技術分野】
【０００１】
本発明は、電気機器を保持する電気機器の保持装置及び記録及び／又は再生装置に関する。
【背景技術】
【０００２】
特許文献１に示すように、映像信号、音声信号等の情報信号を記録したディジタル・バーサタイル・ディスク等の光ディスクの再生をする携帯型のディスクドライブ装置、このディスクドライブ装置に接続されて、ディスクドライブ装置で再生された映像信号等を表示すると共に操作部が設けられた表示装置、ディスクドライブ装置や表示装置に電力を供給する充電型の電源装置、テレビジョン受像器等のモニタにディスクドライブ装置で再生した情報信号を出力するための出力アダプタ等を備えたシステムがある。このシステムは、屋内で使用するとき、電源装置や出力アダプタをディスクドライブにコネクタ接続してからディスクドライブ装置をスタンド装置に立てた状態で設置し、出力アダプタとテレビジョン受像器等のモニタを接続することによって、光ディスクに記録されたコンテンツをディスクドライブ装置で再生してモニタで楽しむことができる。
【０００３】
また、このシステムでは、ディスクドライブ装置に電源装置を取り付け、更に、ディスクドライブ装置に表示装置を接続することによって、これらの装置を持ち運んで、屋外で光ディスクに記録されたコンテンツを楽しむことができる。このときには、上述した出力アダプタは不要であり、ディスクドライブ装置から取り外されている。
【０００４】
このシステムでは、屋外の仕様から屋内の仕様に変更するとき、ディスクドライブ装置と出力アダプタとをコネクタ接続してから、ディスクドライブ装置をスタンド装置に設置する必要があり、作業が面倒である。すなわち、ディスクドライブ装置のスタンド装置への設置作業と出力アダプタとディスクドライブ装置とのコネクタ接続作業を同時に行うことができず、面倒である。
【０００５】
また、屋内の仕様から屋外の仕様に変更するとき、スタンド装置からディスクドライブ装置を外した後、更に、出力アダプタのプラグをディスクドライブ装置から取り外す必要があり、作業が面倒である。
【０００６】
以上のような問題点を解決する手段として、スタンド装置に、出力アダプタを内蔵し、スタンド装置のジャックにテレビジョン受像器等のモニタに接続された接続端子を接続し、更に、スタンド装置のディスクドライブ装置を支持する支持溝にディスクドライブ装置に接続されるプラグを設けるようにすることができる。この場合、ディスクドライブ装置で再生された情報信号は、ディスクドライブ装置のレセプタクルに接続された支持溝のプラグを介してジャックに接続された接続端子よりテレビジョン受像器等のモニタに出力されることになる。このシステムでは、ディスクドライブ装置の着脱で、スタンド装置に内蔵された出力アダプタとの接続が可能となり、上述のように、出力アダプタの着脱が不要となり、操作性の向上を図ることができる。
【０００７】
しかしながら、このシステムでは、ディスクドライブ装置をスタンド装置に立てて置く際、ディスクドライブ装置のレセプタクルとスタンド装置のプラグとの位置が合わないと、プラグ先端とディスクドライブ装置の筐体とがぶつかりプラグが破損したり、ディスクドライブ装置の筐体が傷が付いてしまう。また、スタンド装置のプラグとディスクドライブ装置のコネクタとの位置が合っていたとしても、プラグに対してコネクタが傾いていると、コネクタやプラグが破損してしまうことがある。更に、プラグに対してコネクタが傾く状態で引き抜こうとしても同様なことが発生する。
【０００８】
更に、スタンド装置からディスクドライブ装置を外すには、コネクタからプラグが引き抜かれる際の抜去力が発生するため、ユーザがスタンド装置を押えてディスクドライブ装置から外す必要がある。また、スタンド装置からディスクドライブ装置をリリースするリリース機構を設けたときには、リリース機構の分、スタンド装置が大型化してしまう。
【０００９】
【特許文献１】特開２００２−３５２５７４
【発明の開示】
【発明が解決しようとする課題】
【００１０】
本発明は、以上のような問題点に鑑みてなされたものであり、その目的は、電気接続部の保護しつつ小型化を図る電気機器の保持装置及びこの保持装置を備えた記録及び／又は再生装置を提供することにある。
【課題を解決するための手段】
【００１１】
本発明に係る保持装置は、筐体の一主面部に電気接続部が形成された電子機器を保持する保持装置であり、上記電気機器の一主面部が載置される載置部と、上記載置部に設けられ、上記電気機器の電気接続部に接続される電気接続部と、上記載置部に載置する電気機器の一部を支持する支持溝とを備える。そして、上記支持溝は、上記載置部側が開口された挿入口と、この挿入口と対向する位置に設けられ、上記電気機器の挿入端が突き当てられる突き当て部と、上記挿入口の互いに対向する位置に設けられ、上記電気機器の一部を支持する支持部とを有する。そして、上記電気機器は、上記挿入口から支持溝に挿入されて上記突き当て部に突き当てられ、上記一方の支持部を支点として回動されて上記載置部に載置され、上記電気機器の電気接続部が上記載置部の電気接続部に接続される。
【００１２】
また、本発明に係る記録及び／又は再生装置は、記録媒体の記録及び／又は再生をすると共に、電気接続部が設けられたドライブ部と、上記ドライブ部の一主面部が載置され、載置されたドライブ部の電気接続部と接続される電気接続部が設けられた載置部と、外部と情報信号の送受信を行う端子部と、上記載置部に載置する電気機器の一部を支持する支持溝とを有する保持部とを備える。保持部を構成する上記支持溝は、上記載置部側が開口された挿入口と、この挿入口と対向する位置に設けられ、上記ドライブ部の挿入端が突き当てられる突き当て部と、上記挿入口の互いに対向する位置に設けられ、上記ドライブ部の一部を支持する支持部とを有する。上記ドライブ部は、上記挿入口から支持溝に挿入されて上記突き当て部に突き当てられ、上記一方の支持部を支点として回動されて上記載置部に載置され、上記ドライブ部の電気接続部が上記載置部の電気接続部に接続される。
【発明の効果】
【００１３】
本発明によれば、記録媒体のドライブ等の電気機器は、上記挿入口から支持溝に挿入されて上記突き当て部に突き当てられ、上記一方の支持部を支点として回動されて上記載置部に載置され、上記電気機器の電気接続部が上記載置部の電気接続部に接続される。電気機器は、突き当て部に突き当てられた状態で電気接続部の接続がされることから、位置規制がされており、互いの電気接続部に、電気接続部の挿抜方向と異なる方向の力が加わることが防止することができる。
【発明を実施するための最良の形態】
【００１４】
以下、本発明を適用した保持装置が用いられる再生システムについて図面を参照して説明する。
【００１５】
図１に示すように、この再生システム１は、光ディスクの再生をするディスクドライブ装置２と、このディスクドライブ装置２で再生された映像信号を表示する表示装置３と、ディスクドライブ装置２及び表示装置３に電力を供給する電源装置４と、図２に示すように、ディスクドライブ装置２を支持する保持装置５とを備える。更に、このシステム１は、ディスクドライブ装置２と表示装置３とを接続するものとして接続コード６を備える。
【００１６】
このシステム１では、保持装置５にディスクドライブ装置２で再生された情報信号をテレビジョン受像器等のモニタに出力するための出力アダプタが内蔵されており、従来のように、出力アダプタの着脱操作は不要である。この再生システム１は、映像信号、音声信号等の情報信号を記録したコンパクトディスク、ディジタル・バーサタイル・ディスク等の光ディスクをディスクドライブ装置２で再生することができ、携帯型のディスクドライブ装置２とこのディスクドライブ装置２と表示装置３とを接続コード６で接続した表示装置３とを持ち出すことで、屋外でも表示装置３で光ディスクに記録された映像信号や音声信号を視聴することができる。また、このシステム１では、ディスクドライブ装置２を保持装置５に装着してディスクドライブ装置２と保持装置５とを電気的に接続し、更に、保持装置５とテレビジョン受像器等の据え置き型のモニタと有線又は無線で接続することによって、光ディスクに記録された情報信号を視聴することができる。
【００１７】
すなわち、このシステム１を屋外で使用するときには、ディスクドライブ装置２に電源装置４を装着し、更に、接続コード６を用いてディスクドライブ装置２と表示装置３とを接続することで、表示装置３で光ディスクに記録された情報信号を視聴することができ、また、このシステム１を屋内で使用するときには、ディスクドライブ装置２より表示装置３と接続する接続コード６を取り外し、接続コード６を取り外したディスクドライブ装置２を保持装置５に装着してディスクドライブ装置２と保持装置５とを接続し、更に、保持装置５と屋内に設置された例えば大型モニタに接続することによって、ディスクドライブ装置２で再生する光ディスクに記録された情報信号を大型モニタで視聴することができる。
【００１８】
図１及び図３に示すように、このシステム１で用いるディスクドライブ装置２は、光ディスクと略同じ大きさの円形部１１ｂに突出部１１ａ，１１ｃが設けられたシェル形状をなす装置本体１１と、この装置本体１１の上面に設けられた円形の凹陥部からなるディスク収納部１２を開閉する蓋体１３とを備える。
【００１９】
ディスクドライブ装置２は、ディスク収納部１２の中央部に配置されたディスク回転駆動部となるディスクテーブル１５、このディスクテーブル１５に装着された光ディスクに光ビームを照射し、光ディスクで反射した戻りの光ビームを検出する光ピックアップ１６等を備えている。ディスクテーブル１５は、ベース１７の裏面に固定されたスピンドルモータのスピンドルに一体的に取り付けられ、中央部に突出したセンタリング部１５ａに光ディスクのセンタ孔が係合することによって、光ディスクを例えば線速度一定に回転することができるように支持する。
【００２０】
光ピックアップ１６は、ベース１７に固定された一対のガイド軸にスライド可能に支持されている。光ピックアップ１６は、光源となる半導体レーザ、半導体レーザより出射された光ビームを集光する対物レンズ１６ａ、光ディスクで反射された戻りの光ビームを検出する光検出器等を備える。光ピックアップ１６は、光ディスクに光ビームを照射し光ディスクで反射された戻りの光ビームを検出することによって、光ディスクに記録された情報信号の読み出しを行う。
【００２１】
装置本体１１の上面に重ね合わされる蓋体１３の外周縁には、周方向に連続して下面側に突出する側壁部１８が設けられている。そして、蓋体１３の装置本体１１の突出部１１ａに対応した突出部１９には、下面側に突出する一対のアーム片２１，２１が設けられている。各アーム片２１は、突出部１９が重ね合わされる突出部１１ａを貫通して装置本体１１の内部に挿入され、その先端部が支軸２２によって回動自在に支持され、蓋体１３は、装置本体１１のディスク収納部１２を閉塞する。
【００２２】
また、図示しないが、装置本体１１には蓋体１３の一方のアーム片２１に関連して、蓋体１３を任意の開閉角度において保持することができる蓋体姿勢保持機構が設けられている。この蓋体姿勢保持機構は、蓋体１３の回動操作に伴って所定の摩擦力を付与することにより所定の力で蓋体１３を円滑に開閉操作できるようにすると共に、任意の開閉位置においてその開閉角度を保持することができるようにする。このような蓋体姿勢保持機構としては、例えば、アーム片２１と装置本体１１側の部材との間に適当な大きさの摩擦力を発生する摩擦摺動機構やダンパ装置等を適用することができる。
【００２３】
更に、装置本体１１の前面部に設けられた突出部１１ｃの側面部には、蓋体１３のロックを解除するためのロック部材２８ａが設けられている。図示しないが、ロック部材２８ａは、蓋体１３の自由端側に設けられた係合片に係合することによって、蓋体１３がディスク収納部１２を閉塞した状態に保持し、スライド操作されることによって、蓋体１３の係合片とのロックを解除し、ディスク収納部１２を開放することができるようにする。また、突出部１１ｃには、複数の操作釦で構成された再生釦、ボリュームスイッチ等の操作部２８が設けられている。装置本体１１の側面部には、表示装置３と接続するための接続コード６の一端に設けられたプラグ５１が接続されるコネクタ２３が設けられ、更に、イヤホンジャック２４が設けられている。また、装置本体１１の円形部１１ｂの底面には、保持装置５と電気的に接続する電気接続部となるジャック２４が設けられている。
【００２４】
なお、ディスクドライブ装置２は、光ディスクの再生機能の他、記録機能を有していてもよい。
【００２５】
このような構成を有するディスクドライブ装置２には、図１に示すように、電源装置４が着脱自在に装着される。電源装置４は、図１に示すように、リチウムイオン二次電池等からなる電池素子３７を複数収納する第１の電池ケース３１及び第２の電池ケース３２を有し、両電池ケース３１，３２は互いに回動自在に連結されている。各電池ケース３１，３２は、それぞれ長方形をなす平板状であり、その平面形状は略同一形状とされているが、長手方向は、第１の電池ケース３１よりも第２の電池ケース３２の方が長く形成されている。両電池ケース３１，３２の幅は、装置本体１１の突出部１１ａ及び蓋体１３の突出部１９の幅よりも少々広く設定されている。
【００２６】
各電池ケース３１，３２の長手方向の一端部には、それぞれ幅方向の両側に突出する連結部３３，３４が設けられている。上下の電池ケース３１，３２は、互いの連結部３３，３４を連結することによって回動自在とされて一体に構成されている。これにより、電源装置４は、電池ケース３１，３２を、各先端部が互いに近接離間する方向に回動することができる。例えば、ケース３１，３２は、上下方向へ所定の隙間を開けて略平行とされる閉じた状態と、下電池ケース３２に対して上電池ケース３１を任意角度（例えば、４５度や６０度等）傾斜させた開いた状態とを取ることができる。
【００２７】
この上下の電池ケース３１，３２間の所定の隙間はディスクドライブ装置２の厚みであり、上下の電池ケース３１，３２間にディスクドライブ装置２が挿入される。このように挿入されたディスクドライブ装置２の位置決めをなすために、上電池ケース３１の先端部には、係合凹部３５が設けられている。この係合凹部３５に対応して蓋体１３には、断面Ｌ字状をなす係合片３６が設けられている。この係合片３６は、係合凹部３５を係合することにより、蓋体１３に対する上電池ケース３４の位置決めと、蓋体１３及び第１の電池ケース３１間の結合とを同時に行うことができる。なお、第２の電池ケース３２は、装置本体１１の下面にねじ等で固定される。したがって、ディスクドライブ装置２は、電源装置４が装着された状態であっても、第１の電子ケース３１が蓋体１３と共に回動することで、ディスク収納部１２の開閉を行うことができる。
【００２８】
ディスクドライブ装置２で再生された情報信号を表示する表示装置３は、図１に示すように、キャビネット４１と、表示部なる液晶ディスプレイ４２と、この液晶ディスプレイ４２を開閉する蓋体である開閉蓋４３と、各種形式のスイッチ手段や調節手段等からなる操作部４４等を備えている。キャビネット４１は、略矩形をなし、一方の主面に、液晶ディスプレイ４２を外部に臨ませる開口部４５が形成されていると共に、操作部４４が設けられている。操作部４４は、再生、早送り及び巻戻しの基本操作を選択的に行うことができる基本操作スイッチ等で構成されている。また、この開閉蓋４３は、ヒンジ部４６によってキャビネット４１に回動可能に取り付けられ、非使用時、液晶ディスプレイ４２や操作部４４が設けられた主面を閉塞することによって、これらを保護するようにしている。この開閉蓋４３は、例えば表示面に対して最大で略３６０度回動させることができる。そして、略３６０度回動させて開閉蓋４３を背面側に移動させることにより、この開閉蓋４３をキャビネット４１のスタンドとして用いることができる。表示装置３は、液晶ディスプレイ４２として例えば３．５インチのＴＦＴ（Thin Film Transistor）液晶モニタを使用し携帯可能な大きさまで小型化され、更に、操作部４４を設け、操作釦等を集中させることで、本システム１の操作性の向上を図ることができるようにしている。
【００２９】
キャビネット４１の操作部４４側の下部には、表示装置３をディスクドライブ装置２と接続するための接続コード６の一端が接続されている。この接続コード６の他端には、ディスクドライブ装置２と接続するためのプラグ５１が一体的に取り付けられている。このプラグ５１は、ディスクドライブ装置２を構成する装置本体１１の側面部に設けられたコネクタ２３に接続される。ディスクドライブ装置２と表示装置３とは、接続コード６によって接続され、ディスクドライブ装置２は、再生した情報信号を表示装置３に出力し、表示装置３に表示させることができ、また、表示装置３は、操作部４４が発生した操作信号をディスクドライブ装置２に入力することができる。
【００３０】
ところで、ディスクドライブ装置２を保持する保持装置５は、図２、図４及び図５に示すように机等に設置される保持体６１を有し、この保持体６１には、ディスクドライブ装置２の装置本体１１が載置される載置部６２と、装置本体１１の蓋体１３のヒンジ側の突出部１１ａの両側を支持する支持溝６３とが設けられている。
【００３１】
載置部６２は、装置本体１１の円形部１１ｂが載置されるため、装置本体１１を支持できる大きさに略矩形に平坦に形成されている。載置部６２は、装置本体１１の円形部１１ｂの底面に設けられたジャック２４に挿入される保持装置５側の電気接続部となるプラグ６４が設けられている。
【００３２】
載置部６２の一端には、ディスクドライブ装置２の装置本体１１の突出部１１ａの両側が挿入される支持溝６３が形成されている。この支持溝６３は、載置部６２側が開口されディスクドライブ装置２の装置本体１１の突出部１１ａが挿入される挿入口６５が形成され、略Ｃ字状に形成されている。支持溝６３は、挿入口６５と対向する位置に、ディスクドライブ装置２の挿入端となる装置本体１１の突出部１１ａの端面が突き当てられる突き当て部６６が内方に突出して形成されている。また、挿入口６５の相対向する位置、すなわち装置本体１１の突出部１１ａの上下面と接する位置には、互いに内方に突出した支持部６７ａ，６７ｂが形成されている。相対向した支持部６７ａ，６７ｂは、装置本体１１の突出部１１ａを挟持できる間隔を開けて離間して設けられている。下側の支持部６７ａは、挿入口６５より斜め上方から挿入された装置本体１１を載置部６２に載置するため、載置部６２の方向に回動したときの回動支点部となり、上側の支持部６７ｂは、載置部６２に載置された装置本体１１を載置部６２から離間する方向に回動するときの回動支点部となる。装置本体１１の挿抜を行う際の回動支点部となる支持部６７ａ，６７ｂは、互いに内方に突出するように形成されている。
【００３３】
挿入口６５に対向して設けられた突き当て部６６の上下両側には、内方に突出して形成された突き当て部６６と連続して外方側に窪んだ凹部６８ａ，６８ｂが形成されている。凹部６８ａ，６８ｂは、挿入口６５より斜め上方から挿入された装置本体１１を載置部６２に載置するため、載置部６２の方向に回動する際又は載置部６２に載置された装置本体１１を載置部６２から離間する方向に回動する際の突出部１１ａの上下コーナ部の逃げとなる。
【００３４】
載置部６２の支持溝６３と対向する位置には、載置部６２に載置される装置本体１１の突出部１１ａの両側、すなわち装置本体１１の円形部１１ｂの前面に当接される位置規制部７１が設けられている。位置規制部７１は、内側の面が円形部１１ｂの外周面の形状に合わせて略円弧状に形成された位置規制壁７１ａを有する。また、この位置規制部７１は、載置部６２に載置された装置本体１１の位置を規制可能の高さに形成され、例えば装置本体１１の厚さと略同じ高さに形成されている。
【００３５】
なお、保持体６１には、テレビジョン受像器等のモニタにディスクドライブ装置２で再生した情報信号を出力するための出力アダプタが内蔵されており、音声信号を出力するための音声出力端子７２、映像信号を出力するための映像出力端子７３、外部電源より電力を供給するための電源端子７４、光通信を行うための光端子７５等が設けられている。
【００３６】
以上のような保持装置５にディスクドライブ装置２を装着するには、図６に示すように、机等に置かれた保持装置５に対してディスクドライブ装置２の装置本体１１が突出部１１ａを挿入端として、斜め上方から挿入口６５を介して支持溝６３に突き当て部６６に突き当てられるまで挿入される（図６中Ａ位置）。支持溝６３に突出部１１ａが挿入されると、次いで、装置本体１１は、載置部６２の方向、すなわち図６中矢印Ｘ方向に、装置本体１１の底面を支持した支持部６７ａを回動支点として回動される。ここで、支持溝６３には、突き当て部６６と連続して上下に凹部６８ａ，６８ｂが形成されていることから、凹部６８ａ，６８ｂが回動時における突出部１１ａの上下コーナ部の逃げとなり、円滑に図６中矢印Ｘ方向に回動することができる。なお、この状態では、装置本体１１は、装置本体１１の支持溝６３への挿入方向と反対方向にも移動可能であり、更に、載置部６２に近接離間する方向にも回動可能である。
【００３７】
支持溝６３に挿入された装置本体１１が図６中矢印Ｘ方向に回動されると、先ず、装置本体１１の前面側の突出部１１ｃの両側の外周面が位置規制部７１に係合し、装置本体１１の横方向のがたつきが防止された状態となる（図６中Ｂ位置）。すなわち、Ｂ位置において、装置本体１１は、載置部６２に対して近接離間する方向にのみ回動可能な状態となる。更に、装置本体１１が図６中矢印Ｘ方向に回動されると、載置部６２に設けられたプラグ６４が装置本体１１の底面に設けられたジャック２４に挿入され、最終的に、装置本体１１は、載置部６２に載置されることになる（図６中Ｃ位置）。
【００３８】
ディスクドライブ装置２の装置本体１１を保持装置５に装着するに当たって、装置本体１１は、突出部１１ａを挿入端として支持溝６３に挿入され、更に、装置本体１１の前面側が位置規制部７１に係合し横方向の位置規制がなされた後、装置本体１１の底面のジャック２４と載置部６２のプラグ６４との接続がされることから、ジャック２４やプラグ６４に余分な負荷を加えることなく電気的に接続することができる。また、装置本体１１は、載置部６２に載置された後、支持溝６３と位置規制部７１で位置規制されていることから、ジャック２４やプラグ６４とが接続された状態で横方向の負荷が加わること無く、ジャック２４やプラグ６４の保護をすることができる。
【００３９】
保持装置５にディスクドライブ装置２が装着された状態では、保持装置５のプラグ６４がディスクドライブ装置２のジャック２４に接続され、更に、保持装置５の各端子７２〜７５と据え置き型のモニタとを接続することによって、ディスクドライブ装置２で再生した光ディスクに記録された映像信号等を表示し、更に音声信号等を可聴音で放音することができる。
【００４０】
また、保持装置５に装着されたディスクドライブ装置２を取り外す場合は、図６に示す前面側の突出部１１cを掴んで、突出部１１cを持ち上げると同時に背面側の突出部１１aを下に押付ける回転モーメントを加えると、載置部６２に載置された装置本体１１は、上側の支持部６７ｂを回動支点として図６中反矢印Ｘ方向に回動される。このとき、ユーザによって操作される装置本体１１には、載置部６２から離間する方向の力が加えられ、又、支持溝６３側では、保持装置５を机等に押圧する方向の力が加わる。
載置部６２のプラグ６４から装置本体１１のジャック２４を引き抜く場合には、保持装置５が浮き上がる方向の抜去力が働くが、背面側の突出部１１aが下に押付けられる力により、支持溝６３側では、保持装置５を机等に押圧する方向の力が加わることから、保持装置５が机等から浮き上がってしまうことを防止することができる。
また、装置本体１１のジャック２４からプラグ６４が引き抜かれるとき、装置本体１１は、位置規制部７１に未だ係合している状態にあり（図６中Ｂ位置）、横方向の位置規制が図られていることから、ジャック２４からプラグ６４を引き抜く際、横方向からの余分な負荷が加わることを防止することができる。装置本体１１は、Ｂ位置より更に図６中反矢印Ｘ方向に支持部６７ｂを支点として回動されることによって、Ａ位置の状態となり、装置本体１１を支持溝６３より斜め上方に引き抜くことができるようになる。
【００４１】
以上のような再生システム１では、保持装置５に、ディスクドライブ装置２を立てた状態ではなく寝かせた状態で保持させることができることから、安定した状態でディスクドライブ装置２を保持することができる。また、再生システム１では、保持装置５に出力アダプタを内蔵するようにし、モニタとの接続を保持装置５で行うようにしたので、従来のような出力アダプタを無くすことができ、構成部品を減らすことができる。そして、ユーザは、従来のようなディスクドライブ装置２に対する出力アダプタの着脱作業を行う必要が無くなり、操作性の向上を図ることができる。
【００４２】
更に、以上のような保持装置５では、支持溝６３に装置本体１１の突出部１１ａが支持された状態で装置本体１１を挿入口６５近傍の支持部６７ａ，６７ｂを回動支点として回動することによってジャック２４に対するプラグ６４の挿抜が行われることから、ジャック２４やプラグ６４に対して挿抜方向以外の方向からの余分な負荷が加わることを防止することができる。特に、ここでは、ジャック２４に対するプラグ６４の挿抜が行われるとき、位置規制部７１によって横方向の位置が規制されていることから、更に、ジャック２４やプラグ６４に対して挿抜方向以外の方向からの余分な負荷が加わることを防止することができる。
【００４３】
なお、以上の例では、ディスクドライブ装置２を保持装置５に着脱する例を説明したが、保持装置５に着脱される電気機器としては、ディスクドライブ装置２の他、磁気ディスク、テープカセット、光磁気ディスク等のドライブ装置であってもよく、更に、携帯型の情報端末等であってもよい。
【図面の簡単な説明】
【００４４】
【図１】本発明を適用した再生システムの斜視図である。
【図２】上記再生システムに用いるディスクドライブ装置が保持装置に装着された状態を示す平面図である。
【図３】上記ディスクドライブ装置の蓋体がディスク収納部を開放した状態を示す斜視図である。
【図４】上記保持装置の平面図である。
【図５】上記保持装置の側面図である。
【図６】保持装置にディスクドライブ装置が装着される状態を示す側面図である。
【符号の説明】
【００４５】
１  再生システム、２  ディスクドライブ装置、３  表示装置、４  電源装置、５  保持装置、１１  装置本体、２３  コネクタ、２４  ジャック、６１  保持体、６２  載置部、６３  支持溝、６４  プラグ、６５  挿入口、６６  突き当て部、６７ａ，６７ｂ  支持部、６８ａ，６８ｂ  凹部、７１  位置規制部
【図１】
2005135493.tif 000003
【図２】
2005135493.tif 000004
【図３】
2005135493.tif 000005
【図４】
2005135493.tif 000006
【図５】
2005135493.tif 000007
【図６】
2005135493.tif 000008